(57)【要約】【課題】タブレット型等の携帯端末を使った遠隔監視システムにおいて、携帯端末専用画面を作成する必要をなくすとともに、画面全体を表示しながら、シンボルの誤操作をなくすことができる端末を備えた遠隔監視制御システムを提供する。【解決手段】フィールドで機器を制御するコントローラ１−１〜１−ｎと、コントローラ１−１〜１−ｎからデータを収集するとともにコントローラ１−１〜１−ｎに対して機器の制御を指示する監視制御サーバ３と、無線通信により遠隔地から監視制御サーバ３が収集した情報を取得し、画面に機器及びその状態をシンボルとして表示し、画面のシンボルをユーザが触れることで操作することができるタブレッット型携帯端末８を備えた遠隔監視制御システム１００を提供する。【選択図】図１
2014120019.tif 000002
【特許請求の範囲】
【請求項１】
フィールドで機器を制御するコントローラと、
前記コントローラからデータを収集するとともに前記コントローラに対して前記機器の制御を指示する監視制御サーバと、
無線通信により遠隔地から前記監視制御サーバが収集した情報を取得し、画面に前記機器及びその状態をシンボルとして表示し、前記画面の前記シンボルをユーザが触れることで操作することができる端末を備えた遠隔監視制御システムにおいて、
前記端末は、前記端末に表示するシンボル情報と前記シンボルの座標情報を記録する画面情報記録部及び、前記画面に対する各種操作の態様と前記各操作の態様に対する処理の内容を記録する操作情報記録部とを有し、
前記端末の操作処理機能は、
前記ユーザが行った前記画面に対する前記操作の態様及び、前記操作の対象となった前記画面上の座標から所定の範囲に配置された前記シンボルを検出する操作検出部と、
検出された前記シンボルのサイズによって前記シンボルに対応する処理の実行の可否を判定する処理判定部とを有し、
前記端末の描画機能は、前記処理判定部が前記シンボルに割り当てられた処理の実行を「否」としたとき、前記シンボルのサイズを前記処理判定部の判定が「可」となるまで拡大するシンボル表示サイズ管理部を有する遠隔監視制御システム。
【請求項２】
前記シンボル表示サイズ管理部は、前記ユーザが前記画面に触れた位置から所定の範囲内に複数の前記シンボルが存在するときに、複数の前記シンボルを拡大して表示する請求項１に記載の遠隔監視制御システム。
【請求項３】
前記処理判定部は、前記判定が「可」となったとき、前記ユーザに対して再度、前記シンボルに対する操作を要求する請求項１又は請求項２に記載の遠隔監視制御システム。
【請求項４】
前記端末は、複数の前記シンボル間の関連情報を備え、
前記シンボル表示サイズ管理部は、複数の前記シンボル間の前記関連情報を基に、操作対象となる前記ユーザが触れた前記シンボルと、関連するシンボルのサイズを変更する請求項１〜請求項３のいずれか１項に記載の遠隔監視制御システム。
【請求項５】
複数の前記シンボル間の前記関連情報を基に、複数の前記シンボルだけでなく、複数の前記シンボルを表示する前記画面の複数の前記シンボルを含む範囲のサイズを制御する請求項４に記載の遠隔監視制御システム。
【発明の詳細な説明】
【技術分野】
【０００１】
この発明は、プラントなどの遠隔監視制御システムに関するものである。
【背景技術】
【０００２】
従来の携帯端末を使用したプラント監視システムでは、小さな携帯端末画面に合わせて専用の画面を作成していた。
近年、タブレット端末等の性能向上により、実際の監視室で表示している端末の監視画面をそのまま表示することができる携帯端末が存在する。
しかしながら、タブレット端末は、画面上を指でタッチして操作するため、狙った場所をタッチすることが難しく、また、画面自体も小さいため、通常の監視画面をそのままの状態で操作すると操作対象の近くにある別のシンボルなどを誤操作することが考えられる。
そこで、タッチ操作する画面における誤操作の防止の方法として、操作対象のオブジェクトのサイズによって可能な操作を定義して、決まったサイズにならないと操作ができないようにすることで誤操作を防止する技術が提案されている。（例えば、特許文献１）
【先行技術文献】
【特許文献】
【０００３】
【特許文献１】特開２０１２−１０４０９５号公報
【発明の概要】
【発明が解決しようとする課題】
【０００４】
特許文献１においては、シンボルの操作のために予め画面全体を拡大する必要があるため、表示している画面の一部のみが拡大表示されることになる。
これを監視制御に適用すると、監視画面全体を拡大することにより監視対象機器の一部が画面上からはみ出して一覧できないという課題があった。
【０００５】
この発明は、上記のような課題を解決するためになされたものであり、タブレット型等の携帯端末を使った遠隔監視システムにおいて、携帯端末専用画面を作成する必要をなくすとともに、画面全体を表示しながら、シンボルの誤操作をなくすことができる端末を備えた遠隔監視制御システムを得ることを目的とする。
【課題を解決するための手段】
【０００６】
この発明に係る遠隔監視制御システムは、
フィールドで機器を制御するコントローラと、
コントローラからデータを収集するとともにコントローラに対して機器の制御を指示する監視制御サーバと、
無線通信により遠隔地から監視制御サーバが収集した情報を取得し、画面に機器及びその状態をシンボルとして表示し、画面のシンボルをユーザが触れることで操作することができる端末を備えた遠隔監視制御システムにおいて、
端末は、端末に表示するシンボル情報とシンボルの座標情報を記録する画面情報記録部及び、画面に対する各種操作の態様と各操作の態様に対する処理の内容を記録する操作情報記録部とを有し、
端末の操作処理機能は、
ユーザが行った画面に対する操作の態様及び、操作の対象となった画面上の座標から所定の範囲に配置されたシンボルを検出する操作検出部と、
検出されたシンボルのサイズによってシンボルに対応する処理の実行の可否を判定する処理判定部とを有し、
端末の描画機能は、処理判定部がシンボルに割り当てられた処理の実行を「否」としたとき、シンボルのサイズを処理判定部の判定が「可」となるまで拡大するシンボル表示サイズ管理部を有するものである。
【発明の効果】
【０００７】
この発明に係る遠隔監視制御システムの端末は、
端末に表示するシンボル情報とシンボルの座標情報を記録する画面情報記録部及び、画面に対する各種操作の態様と各操作の態様に対する処理の内容を記録する操作情報記録部とを有し、
端末の操作処理機能は、
ユーザが行った画面に対する操作の態様及び、操作の対象となった画面上の座標から所定の範囲に配置されたシンボルを検出する操作検出部と、
検出されたシンボルのサイズによってシンボルに対応する処理の実行の可否を判定する処理判定部とを有し、
端末の描画機能は、処理判定部がシンボルに割り当てられた処理の実行を「否」としたとき、シンボルのサイズを処理判定部の判定が「可」となるまで拡大するシンボル表示サイズ管理部を有するものなので、
操作対象のシンボルが小さい場合には、拡大表示してから操作を行うようになるため、シンボルが小さいことによる見間違い、押し間違い等による誤操作を防止することができる。
【図面の簡単な説明】
【０００８】
【図１】この発明の実施の形態１に係る遠隔監視制御システムのシステム構成図である。
【図２】この発明の実施の形態１に係るタブレット型携帯端末のソフトウェアの構成を示すブロック図である。
【図３】この発明の実施の形態１に係るタブレット型携帯端末の画面操作のフローである。
【図４】ユーザが操作アクションをおこなったシンボルを示す図である。
【図５】図３におけるＳ００８の状態を示す図である。
【図６】この発明の実施の形態１に係るタブレット型携帯端末の画面操作のフローである。
【図７】図６において、抽出したシンボルが複数の場合を示す図である。
【図８】複数の抽出したシンボルを拡大した図である。
【図９】この発明の実施の形態２に係るタブレット型携帯端末のソフトウェアの構成を示すブロック図である。
【図１０】この発明の実施の形態２に係るシンボルの拡大前の状態を示す図である。
【図１１】この発明の実施の形態２に係るシンボルの拡大後の状態を示す図である。
【図１２】この発明の実施の形態３に係るタブレット型携帯端末のソフトウェアの構成を示すブロック図である。
【図１３】この発明の実施の形態３に係るタブレット型携帯端末の画面の拡大前の状態を示す図である。
【図１４】この発明の実施の形態３に係るタブレット型携帯端末の画面の拡大後の状態を示す図である。
【発明を実施するための形態】
【０００９】
実施の形態１．
以下、この発明の実施の形態１に係る遠隔監視制御システムを図１、２を用いて説明する。
図１は、タブレット型携帯端末８を用いた遠隔監視制御システム１００のシステム構成図である。
図１において、フィールドで機器を制御する複数のコントローラ１−１〜１−ｎが、制御ネットワーク２に接続され、監視制御サーバ３が各コントローラ１−１〜１−ｎから制御ネットワーク２を介してデータを収集している。
監視端末４は、ＬＡＮ５に接続され、監視制御サーバ３で収集した情報を表示して監視したり、監視制御サーバ３に対して操作要求を行うために使用される。
【００１０】
更に、ＬＡＮ５にはアクセスポイント６が設置され、無線ネットワーク７を経由してタブレット型携帯端末８でも、監視端末４と同じように監視制御を行う。
図２は、タブレット型携帯端末８のソフトウェアの構成を示すブロック図である。
通信機能８１は、監視制御サーバ３に対してデータの要求を送信し、監視制御サーバ３が収集したデータを受信する機能である。
描画機能８３は、画面情報記録部８２から監視制御対象の機器のシンボルを配置した画面データ取得し、これと上述の監視制御サーバ３から得たデータを合成して画面上に表示する機能である。
描画機能８３には、シンボルのサイズを管理するシンボル表示サイズ管理部８３１を備える。
【００１１】
操作処理機能８４は、画面から入力された操作の指示を処理する機能である。
操作処理機能８４には、画面にユーザが触れることにより実施した操作から座標情報と操作アクションを検出する操作検出部８４１と、
検出した座標情報、画面情報記録部８２に記録された各種シンボルの座標情報等、操作アクションと処理との関係を定義した操作情報記録部８５のアクション情報（操作の態様）を基に判定し、適当な処理を実行する処理判定部８４２を備える。
画面への接触は、直接指で触れても良いし、間接的にペンで触れても良い。
【００１２】
次に、タブレット型携帯端末８の動作について説明する。
図３は、タブレット型携帯端末８の画面操作のフローである。
タブレット型携帯端末８の画面上を指で操作すると（Ｓ００１）、操作検出部８４１が座標情報と操作アクション（例えば、シングルタップとかフリック入力など）を検出し、検出した情報を処理判定部８４２に通知する。（Ｓ００２）
処理判定部８４２は、当該操作アクションが、シンボルに関連するものかどうかを判定し（Ｓ００３）、シンボルに関連しないものであれば、操作情報記録部８５から該当する操作アクションに対応する処理を実行する。（Ｓ０２１）
【００１３】
検出した操作アクションが、シンボルに関連するものであれば、検出した操作アクションがおこなわれた座標から一定範囲内にあるシンボルの情報を画面情報記録部８２から抽出する。（Ｓ００４）
抽出するシンボルがない場合、当該操作アクションを無視する。（Ｓ１２１）
ここで、抽出したシンボルが一つのみの場合は、処理判定部８４２はシンボル表示サイズ管理部８３１から対象のシンボルの表示サイズを取得し（Ｓ００５）、サイズが一定サイズ未満であれば、シンボル表示サイズ管理部８３１に対して該当シンボルのみを一定サイズまで拡大表示するように依頼し（Ｓ００７）、画面上では該当シンボルのみが拡大表示され（Ｓ００７）、併せて、メッセージ等で再度入力を促す。（Ｓ００８）
シンボルのサイズが一定サイズ以上であれば（Ｓ００６）、操作情報記録部８５から検出した操作アクションと一致する処理を実行する。（Ｓ０２１）
【００１４】
操作アクションに対応する処理が実行されると、拡大したシンボルがあるときは、処理判定部８４２からシンボル表示サイズ管理部８３１に対して、拡大表示中のすべてのシンボルを標準サイズに戻すように依頼する。（Ｓ０２２）
シンボル表示サイズ管理部８３１は、画面上のすべてのシンボルを標準サイズに戻す。（Ｓ０２３）
【００１５】
図４は、ユーザが操作アクションをおこなったシンボルを示す図である。
図５は、図３におけるＳ００８の状態を示す図である。
図４に示すように、ユーザが、操作アクションをおこなったシンボルＴＳ−０１は、一定サイズ以下であったため、図５に示すように、実行可能なサイズになるまで自動的に拡大される。
【００１６】
図６は、図３におけるＳ００４で抽出したシンボルが複数の場合のフローを示す図であり、図３、Ｓ００４（図６ではＳ１０４）以下の処理が、抽出したシンボルが一つの場合と一部異なる。
抽出したシンボルが複数の場合（Ｓ１０４）、シンボル表示サイズ管理部８３１から各シンボルの表示サイズを取得する。（Ｓ１０５）
各シンボルが一定サイズ以上であれば（Ｓ１０６）、複数のシンボルが同時に選択されている旨のメッセージを表示し、再度操作を促す。（Ｓ１２０）
シンボルのうち一つでも一定サイズ未満のものがあれば（Ｓ１０６）、シンボル表示サイズ管理部８３１に対して一定サイズになるように拡大を依頼し（Ｓ００７）、画面上では対象のすべてのシンボルが一定サイズ以上で表示されるとともに再度操作を促す。（Ｓ００８）
このときの状態を示す図が、図７、図８である。
図７に示すように、ユーザがシンボルＴＳ−０１とＴＳ−０２の中間をタップしたような場合において、いずれかのシンボルのサイズが所定のサイズより小さい場合は、図８に示すように、各シンボルが所定のサイズになるまでシンボルを拡大する。
【００１７】
以上のように、操作対象のシンボルが小さい場合には、拡大表示してから操作を行うようになるため、シンボルが小さいことによる見間違い、押し間違い等による誤操作を防止することができる。
また、複数のシンボルを同時に選択した場合にも、シンボルのサイズを調整し、再度操作を促すことで誤操作を防ぐことができる。更に、シンボルのみを拡大することにより画面全体に表示されている情報を全て見ながら画面操作することができる。
【００１８】
実施の形態２．
以下、この発明の実施の形態２に係る遠隔監視制御システムを、図を用いて実施の形態１と異なる部分を中心に説明する。
図９は、本実施の形態に係る遠隔監視制御システムのタブレット型携帯端末２０８のソフトウェア構成を示すブロック図である。
図１０、１１は、本実施の形態に係るシンボルの拡大前と拡大後を示す図である。
本実施の形態では、図９に示すように、シンボル操作時に同時に表示しておきたい関連するシンボルの情報（関連情報）を記録するシンボル関連情報記録部８６をタブレット型携帯端末２０８に追加している。
図１０のように、シンボルＢＳ−０１に対して、その下のシンボルとＢＳ−０１の値を示すシンボルを関連するシンボルとしてシンボル関連情報記録部８６に記録している場合に、ユーザがシンボルＢＳ−０１に対してタップしたとする。
この場合、シンボルＢＳ−０１の大きさが所定のサイズより小さいときは、図１１に示すようにシンボルＢＳ−０１のみならず、シンボルＢＳ−０１に関連する２つのシンボルについての情報をシンボル関連情報記録部８６から取得し、これらのシンボルを拡大表示する。
これにより、操作対象のシンボルとこれに関連するシンボルを他のシンボルと区別して大きく表示することができる。ユーザに対して注意喚起できる。
【００１９】
実施の形態３．
以下、この発明の実施の形態３に係る遠隔監視制御システムを、図を用いて実施の形態２と異なる部分を中心に説明する。
図１２は、本実施の形態に係る遠隔監視制御システムのタブレット型携帯端末３０８のソフトウェアの構成を示すブロック図である。
図１３、１４は、本実施の形態に係るタブレット型携帯端末３０８の画面の拡大前と拡大後を示す図である。
本実施の形態では、描画機能８３に画面サイズ管理部８３２を設けている。
処理判定部８４２は、シンボルの拡大依頼をシンボル表示サイズ管理部８３１より画面サイズ管理部８３２に対して優先して行う。
画面サイズ管理部８３２は、画面情報記録部８２とシンボル関連情報記録部８６を使って、画面上にある操作対象のシンボルに関連するシンボルを抽出する。
そして、操作対象に関連シンボルが表示される範囲で、シンボルが一定サイズ以上になるまでシンボルを中心に画面自体を拡大する。画面の拡大だけでは、シンボルが一定サイズ以上に達しない場合は、シンボル表示サイズ管理部８３１に、シンボルの拡大を依頼する。
以上のように、必要情報が表示される範囲で画面を優先して拡大するようにしたので、操作時に必要情報をより大きく表示することができる。
【００２０】
尚、本発明は、その発明の範囲内において、各実施の形態を自由に組み合わせたり、各実施の形態を適宜、変形、省略することが可能である。
【符号の説明】
【００２１】
１００  遠隔監視制御システム、２  制御ネットワーク、３  監視制御サーバ、
４  監視端末、６  アクセスポイント、７  無線ネットワーク、
８，２０８，３０８  タブレット型携帯端末、１−１〜１−ｎ  コントローラ、
８１  通信機能、８２  画面情報記録部、８３  描画機能、
８３１  シンボル表示サイズ管理部、８３２  画面サイズ管理部、８４  操作処理機能、８４１  操作検出部、８４２  処理判定部、８５  操作情報記録部、
８６  シンボル関連情報記録部。
【図１】
2014120019.tif 000003
【図２】
2014120019.tif 000004
【図３】
2014120019.tif 000005
【図４】
2014120019.tif 000006
【図５】
2014120019.tif 000007
【図６】
2014120019.tif 000008
【図７】
2014120019.tif 000009
【図８】
2014120019.tif 000010
【図９】
2014120019.tif 000011
【図１０】
2014120019.tif 000012
【図１１】
2014120019.tif 000013
【図１２】
2014120019.tif 000014
【図１３】
2014120019.tif 000015
【図１４】
2014120019.tif 000016